(57)【要約】【課題】掃除が容易で様々な形状の瓶に安定して取り付けることが可能な食用油回収用漏斗を提供する。【解決手段】本発明に係る食用油回収用漏斗５０は、様々な形状の瓶１０に十分な安定感をもって設置することができる。これにより、様々な瓶１０を使用済み食用油１の保存容器として利用することができる。また、食用油回収用漏斗５０は板状の脚部４６を中心から放射状に配置することで、漏斗部３０の掃除を容易に行うことができる。さらに、瓶１０に空き瓶を用いることで瓶１０を気軽に廃棄交換することができる。これにより、使用済み食用油１を良好な衛生状態で保存することができる。【選択図】図１
2014034398.tif 000002
【特許請求の範囲】
【請求項１】
使用済み食用油を保存容器に回収するための食用油回収用漏斗であって、
すり鉢状もしくは碗状の受け部と前記受け部の底に設けられた管部とを備えた漏斗部と、
前記受け部に着脱可能に嵌め込まれる所定の目開きの網部と、
前記管部から所定の間隙をとって放射状に設けられた板状の脚部と、
を有することを特徴とする食用油回収用漏斗。
【発明の詳細な説明】
【技術分野】
【０００１】
本発明は、使用済み食用油を濾して、任意の瓶に注ぎ込むための食用油回収用漏斗に関するものである。
【背景技術】
【０００２】
近年、環境問題に対する関心の高まりから、多くの一般家庭において調理等で使用した食用油の再利用が行われている。このような使用済み食用油の保存容器としては、使用済み食用油を濾す金属製の網部と、使用済み食用油を溜めるステンレスやアルミニウム、ホウロウ製の容器部とがセットになったものが多い。しかしながら、これらの保存容器は比較的高価であり頻繁に交換することができない。この反面、これら保存容器は長期間の使用により、食用油の変質、衛生状態の悪化、油の付着によるべたつき等が生じる。従って、このような保存容器はある程度の期間使用した後、破棄、交換される場合が多く、経済的にも環境的にも好ましいものではない。
【０００３】
この問題点に対し下記［特許文献１］では、使用済み食用油を使用済みの食用油用ペットボトルに注ぐための漏斗に関する発明が開示されている。
【先行技術文献】
【特許文献】
【０００４】
【特許文献１】特開２００１−３５４２９７号公報
【発明の概要】
【発明が解決しようとする課題】
【０００５】
しかしながら、［特許文献１］に開示された発明は、食用油用ペットボトルに取り付ける円筒形の取付部や台座部を備えており、これらの部位の掃除が面倒であり、きれいに掃除することが難しい。また、［特許文献１］に開示された発明は、基本的に食用油用ペットボトルにしか使用できず、汎用性に乏しいという問題点がある。
【０００６】
本発明は上記事情に鑑みてなされたものであり、掃除が容易で様々な形状の瓶に安定して取り付けることが可能な食用油回収用漏斗を提供することを目的とする。
【課題を解決するための手段】
【０００７】
本発明は、
使用済み食用油１を保存容器（瓶１０）に回収するための食用油回収用漏斗であって、
すり鉢状もしくは碗状の受け部３２と前記受け部３２の底に設けられた管部３４とを備えた漏斗部３０と、
前記受け部３２に着脱可能に嵌め込まれる所定の目開きの網部４０と、
前記管部３４から所定の間隙をとって放射状に設けられた板状の脚部４６と、
を有することを特徴とする食用油回収用漏斗５０を提供することにより、上記課題を解決する。
【発明の効果】
【０００８】
本発明に係る食用油回収用漏斗は、様々な形状の瓶に取付けが可能なため、多種多様な瓶を使用済み食用油の保存容器として使用することができる。また、食用油回収用漏斗を瓶に設置する際の脚部が板状となっているため、食用油回収用漏斗の掃除を容易に行うことができる。
【図面の簡単な説明】
【０００９】
【図１】本発明に係る食用油回収用漏斗を示す分解斜視図である。
【図２】本発明に係る食用油回収用漏斗の使用方法を説明する図である。
【図３】本発明に係る食用油回収用漏斗の設置方法を説明する図である。
【発明を実施するための形態】
【００１０】
本発明に係る食用油回収用漏斗について図面に基づいて説明する。図１は本発明に係る食用油回収用漏斗５０の分解斜視図である。本発明に係る食用油回収用漏斗５０は、漏斗部３０と、網部４０と、漏斗部３０に設置された脚部４６とを有している。
【００１１】
また、漏斗部３０は従来の漏斗と同様にすり鉢状もしくは碗状の受け部３２と、受け部３２の底に設けられた孔３１と、この孔３１に連通する管部３４とを有している。尚、漏斗部３０の管部３４は若干先細りとすることが好ましく、このような形状とすることで管部３４をある程度の範囲の口径を有する瓶１０に安定した状態で挿し込むことができる。
【００１２】
また、網部４０は、所定の目開きの網部本体４２と縁部４４とを有している。そして、網部４０は漏斗部３０に着脱可能に嵌め込むことができる。尚、網部４０を漏斗部３０に嵌め込む際には、網部４０の縁部４４が漏斗部３０の縁部３３で止まり漏斗部３０内に沈み込むことはない。また、網部４０の縁部４４に持ち手を付けることで、網部４０の取り外しを容易に行うことができる。これにより、網部４０に残留した揚げカス等を容易に取り出すことができる。さらに、縁部４４の形状を木の葉、貝等の形状とすることで、食用油回収用漏斗５０のデザイン性を向上させることができる。また、網部４０の外径は受け部３２の内径と略同等とすることが好ましく、のような寸法とすることで網部４０を設置した時のガタ付きを防止することができる。さらに、網部本体４２の底面は濾過効率の面から平面状とすることが好ましい。網部本体４２の材質に特に限定はないが、耐熱性と耐腐食性とを備えたステンレス製の金属メッシュを用いることが好ましい。
【００１３】
また、食用油回収用漏斗５０の脚部４６は管部３４から外側に向いた板状を呈しており、管部３４から所定の間隙をとって３つ乃至４つ放射状に設置される。このように、本発明に係る食用油回収用漏斗５０では板状の脚部４６を中心から放射状に設置することで、この部位の掃除を細部まで容易に行うことができる。
【００１４】
次に、本発明に係る食用油回収用漏斗５０の使用方法を図２を用いて説明する。先ず、食用油回収用漏斗５０の漏斗部３０に網部４０を設置する。次に、保存容器として使用する瓶１０の口部１２に漏斗部３０の管部３４を挿し入れる。次に、調理等で使用した使用済み食用油１を常温程度にまで放冷し、これを漏斗部３０に注ぎ込む。漏斗部３０に注ぎ込まれた使用済み食用油１は、漏斗部３０に設置された網部４０で濾される。これにより、使用済み食用油１中に混在する天カス等の夾雑物は網部４０に残留し、食用油１のみが網部４０を通過して管部３４を通り瓶１０内に注ぎ込まれる。その後、瓶１０は密栓される。尚、瓶１０内で保存された使用済み食用油１は、その後の調理等に適宜使用される。
【００１５】
尚、食用油回収用漏斗５０に使用する瓶１０に特に限定は無く、如何なるものを用いても良い。ただし、瓶１０には他の用途で使用された空き瓶を用いることが特に好ましい。この構成によれば瓶１０を新たに購入する必要がないため、不快なべたつきや食用油１の劣化、衛生状態の悪化が生じる前に瓶１０を気軽に廃棄交換することができる。また、瓶１０に空き瓶を用いれば資源ゴミの再利用となり、経済的であるとともに環境への無用な負荷を最小限に抑えることができる。
【００１６】
次に、食用油回収用漏斗５０の瓶１０への設置方法を図２、図３を用いて説明する。尚、図３においては、瓶１０を断面にて表す。先ず、一般的な径の口部１２を有する瓶１０を保存容器として使用する場合、図２に示すように、漏斗部３０の管部３４を瓶１０の口部１２に根元まで挿し入れる。これにより、食用油回収用漏斗５０を瓶１０に十分な安定感をもって設置することができる。また、図３（ａ）に示すように、口部１２の径が比較的小さい瓶１０を使用する場合、瓶１０の口部１２に管部３４を挿し入れることで食用油回収用漏斗５０を瓶１０に設置する。
【００１７】
また、口部１２の径が中程度の瓶１０を使用する場合、図３（ｂ）に示すように、管部３４と脚部４６との間隙に口部１２を挟み込むことで食用油回収用漏斗５０を保持する。これにより、口部１２の径が管部３４より大きい場合でも十分な安定感をもって食用油回収用漏斗５０を瓶１０に設置することができる。
【００１８】
また、口部１２の長さが短い瓶１０を使用する場合、図３（ｃ）に示すように、瓶１０の肩部１４に脚部４６を載置する。これにより、口部１２の長さが短い場合でも十分な安定感をもって食用油回収用漏斗５０を瓶１０に設置することができる。
【００１９】
以上のように、本発明に係る食用油回収用漏斗５０は、様々な形状の瓶１０に十分な安定感をもって設置することができる。これにより、様々な瓶１０を使用済み食用油１の保存容器として利用することができる。また、食用油回収用漏斗５０は板状の脚部４６を中心から放射状に配置することで、漏斗部３０の掃除を容易に行うことができる。
【００２０】
さらに、瓶１０に空き瓶を用いることで瓶１０を気軽に廃棄交換することができる。これにより、使用済み食用油１を良好な衛生状態で保存することができる。また、瓶１０に空き瓶を用いることで資源ゴミを再利用することができ、経済的であるとともに環境への無用な負荷を最小限に抑えることができる。
【００２１】
尚、上記に示す食用油回収用漏斗５０は一例であるから、漏斗部３０、網部４０、脚部４６等の各部の形状、寸法などは特に上記の例に限定されるものではなく、本発明は本発明の要旨を逸脱しない範囲で変更して実施することが可能である。
【符号の説明】
【００２２】
１    食用油
１０    瓶（保存容器）
３０    漏斗部
３２    受け部
３４    管部
４０    網部
４６    脚部
５０    食用油回収用漏斗
【図１】
2014034398.tif 000003
【図２】
2014034398.tif 000004
【図３】
2014034398.tif 000005